(57)【特許請求の範囲】
【請求項１】
用紙基材中にスレッドを抄き込んだ偽造防止媒体において、
前記スレッドが、書き換え可能なリライト記録表示層を備えたリライトフィルムであって、且つ、前記スレッドは前記リライト記録表示層への印字、書き換え、消去と、表示の認識が可能であるように部分的に表面に表出していることを特徴とする偽造防止媒体。
【請求項２】
前記リライト記録表示層が、ロイコ型リライト記録表示層又は、白濁型リライト記録表示層であることを特徴とする請求項１に記載する偽造防止媒体。
【請求項３】
請求項１又は請求項２に記載する偽造防止媒体を「前払い式証票」として使用するために、発行者がサーマルヘッドを備えた発行機にて前記「前払い式証票」を発行する際に、前記リライト記録表示層に交換可能な金額または数量を印字し、表示されたことを特徴とする偽造防止媒体。
【請求項４】
請求項３に記載する偽造防止媒体を「前払い式証票」として使用するために、表示された金額または数量以下の商品や物品・サービスとの交換に前記「前払い式証票」を使用した場合、店舗等に設置したサーマルヘッドを備えた処理機にて前記リライト記録表示層に未使用残高または未使用数量を印字して表示したことを特徴とする偽造防止媒体。
【請求項５】
請求項３又は請求項４のいずれかに記載する偽造防止媒体を「前払い式証票」として使用後に、発行者が回収した際、発行者がサーマルヘッドを備えた発行機にて前記「前払い式証票」の前記リライト記録表示層の金額または数量表示を消去し、再度前記リライト記録表示層に金額または数量を印字して発行することにより繰り返し使用可能であることを特徴とする偽造防止媒体。
【発明の詳細な説明】
【技術分野】
【０００１】
本発明は、「前払い式証票」と呼ばれる商品券やギフト券等の偽造防止が要求されるような有価証券類に用いる偽造防止媒体に関するものである。
【背景技術】
【０００２】
商品券やギフト券は券面に表示された金額の商品や物品・サービスと交換できることから、紙幣と同様の価値があり、偽造防止が必須である。百貨店やクレジットカード会社などが発行する商品券や、メーカーあるいは業界団体が発行する券面に表示された金額の商品と交換できる例えばビール券のようなギフト券が大量に発行・使用されている。年々増加してきている偽造を防止するために、予め原紙に透かしを施したり、あるいはマイクロ文字や凹版、隠し文字、蛍光印刷等の特殊な印刷を施したり、金属光沢を有する箔やホログラム箔などを転写またはシールしてあるのが一般的である。特許文献１では偽造防止のためにスレッドが紙層の窓開き部中に露出した構成の用紙が開示されており、特許文献２ではより進んだ方法として、体積ホログラムを有するスレッドを透き込んだ偽造防止用紙が開示されている。
【０００３】
また、商品券等では、金額毎に細かく券種が分かれており、生産時の管理および在庫管理、回収管理等が煩雑となっている。また、商品券所有者が店舗等において、券面金額以下の商品購入に使用した場合、つり銭が出ない場合が多く、使用条件も限られてしまう。また、使用後に回収した商品券類は膨大なゴミとなるが、有価証券として一般廃棄は出来ないため、膨大な処分費用も発生してしまう。
【０００４】
また、近年では商品券等とは異なるが、可変情報記録が可能なカードを用いたポイントカードや、電車、バス等の定期券であって、且つ、予め支払った金額の商品購入等に利用できる磁気カード又はＩＣカードが普及してきている。特許文献３に開示されているように、ホログラムによる偽造防止機能とリライト印字機能を兼ね備えた情報記録媒体がある。例えば、電車等の定期券では有効期間等を更新すれば新たな定期券を発行しなくとも済み、またポイントカードではポイント数、有効期限等を書き換えることで新たなカードを発行しなくともよい。
【特許文献１】登録実用新案第３０２８８８６号公報
【特許文献２】特開２００７−１０８２５３号公報
【特許文献３】特開２００１−３５３９７１号公報
【発明の開示】
【発明が解決しようとする課題】
【０００５】
しかしながら、前述した特許文献１〜３の構成をもってしても、前払い式証票としての必要機能を保持し、偽造防止効果を付与したままで、商品券等の在庫を一券種として煩雑性を解消し、券面金額以下の商品も購入可能で、なおかつリサイクル可能な商品券等は得られない。ホログラムのスレッド等金属光沢を有する箔等を電子複写機で複写すると、黒く複写されてしまうため一目見て複写物であることがわかるが、金属光沢を持つ似たような箔で代替して貼り付けられると偽造物との区別がしにくくなる問題があった。また、カードの持つ属人性や契約の必要性がなく、不特定の人が使うことができ、使用できる金額及び未使用残額が視認できる偽造防止性の高い商品券等への要求は大きい。
【０００６】
本発明の目的は、商品券あるいはギフト券等として偽造防止効果を保持しながら、多数の券種発行に伴う生産及び在庫管理等の煩雑性を無くし、券面金額以下の使用に際して残高表示が可能で、且つ、リサイクル可能な偽造防止媒体を提供することにある。
【課題を解決するための手段】
【０００７】
本発明は、用紙基材中にスレッドを抄き込んだ偽造防止媒体において、前記スレッドが、書き換え可能なリライト記録表示層を備えたリライトフィルムであって、且つ、前記スレッドは前記リライト記録表示層への印字、書き換え、消去と、表示の認識が可能であるように部分的に表面に表出していることを特徴とする偽造防止媒体である。
【０００８】
削除
【０００９】
また本発明は、前記リライト記録表示層が、ロイコ型リライト記録表示層又は、白濁型リライト記録表示層であることを特徴とする上記偽造防止媒体である。
【００１０】
また本発明は、上記偽造防止媒体を「前払い式証票」として使用するにために、発行者がサーマルヘッドを備えた発行機にて前記「前払い式証票」を発行する際に、前記リライト記録表示層に交換可能な金額または数量を印字して、表示したことを特徴とする偽造防止媒体である。
【００１１】
また本発明は、上記偽造防止媒体を「前払い式証票」として使用するために、表示された金額または数量以下の商品や物品・サービスとの交換に前記「前払い式証票」を使用した場合、店舗等に設置したサーマルヘッドを備えた処理機にて前記リライト記録表示層に未使用残高または未使用数量を印字して表示したことを特徴とする偽造防止媒体である。
【００１２】
次に本発明は、上記偽造防止媒体を「前払い式証票」として使用後に、発行者が回収した際、発行者がサーマルヘッドを備えた発行機にて前記「前払い式証票」の前記リライト記録表示層の金額または数量表示を消去し、再度前記リライト記録表示層に金額または数量を印字して発行することにより繰り返し使用可能であることを特徴とする偽造防止媒体である。
【発明の効果】
【００１３】
本発明は以上のような構成であるから、下記に示す如き効果がある。即ち本発明によれば、特殊な用紙抄造技術とリライト記録表示層を有するスレッド作成技術が組み合わされることで、商品券あるいはギフト券等として偽造防止効果を保持しながら、多数の券種発行に伴う生産及び在庫管理等の煩雑性を無くし、券面金額以下の使用に際して残高表示が可能で、且つ、リサイクル可能な偽造防止媒体が得られる。
【００１４】
削除
【００１５】
さらに、本発明によれば、リライト記録表示層を加熱温度の差で顕色あるいは減色させるロイコ型とするか、又は、加熱と冷却によって白濁と透明化を繰り返す白濁型とすることで、サーマルヘッド印字装置を用いて印字可能であると共に、有価証券用紙表面に施される印刷との組み合わせで、リライト印字単独の表示にとどまらず、下地の絵柄の浮き出しや隠蔽などが可能となり、高い偽造防止効果が得られ、且つ、豊かなデザイン表現が可能となる。
【００１６】
次に、本発明によれば、発行者がサーマルヘッドを備えた発行機にて、同一種類の共通した有価証券用基材を用いて、金額の異なる券種を発行することが可能となり、需要の大小にあわせた発行で管理業務が簡略化され在庫管理が容易となる。
【００１７】
また、本発明によれば、店舗等に設置したサーマルヘッドを備えた処理機にてリライト記録表示層に未使用残高または未使用数量を印字することにより再使用が可能である。リライト記録表示層の印字領域設定により発行時の印字内容をそのままに、追加して残額表示することも可能である。
【００１８】
また、本発明によれば、使用後に回収した際、発行者がサーマルヘッドを備えた発行機にてリライト記録表示層の金額または数量表示を消去し、再度リライト記録表示層に金額または数量を印字して発行することにより繰り返し使用可能であるため、使用のデータ確認後は、廃棄する必要がない。
【発明を実施するための最良の形態】
【００１９】
以下に本発明の偽造防止媒体の一実施形態を、図面を参照にして詳細に説明する。
【００２０】
図１は、本発明の偽造防止媒体の一実施形態の発行前の状態を説明する模式図であり、図２は発券後の状態を説明する模式図であり、図３は再使用時の状態を説明する模式図である。図１、図２、図３の中で、（ａ）は用紙基材中にリライトフィルムのスレッドを抄きこんだタイプ、（ｂ）は用紙基材表面にストライプ状のリライトフィルムが転写又はラミネートされたタイプ、（ｃ）は用紙基材表面にスポット状のリライトフィルムが転写又
はラミネートされたタイプをそれぞれ示している。
【００２１】
図４は、従来の商品券の例を説明する模式図である。通常、ホログラム原反を細くスリットしたスレッドが抄きこまれているスレッドホログラム用紙か、ホログラム箔を商品券の上端から下端に帯状に転写したストライプホログラム用紙が使われ、金額毎に細かく券種が分かれている。
【００２２】
図５は本発明の偽造防止媒体を構成する書き換え可能な記録表示層（リライト記録表示層）を備えたリライトフィルムの断面説明図である。（ａ）はスレッドの構成、（ｂ）はラミネートするフィルムの構成、（ｃ）は転写に用いる転写シートの構成である。
【００２３】
以下、本発明の偽造防止媒体の構成について詳細に説明する。
【００２４】
本発明に係る偽造防止媒体は、基本的には用紙基材１中にリライトフィルムのスレッド（スレッドリライト）２を抄きこんだ構成か、用紙基材表面にストライプ状のリライトフィルム（ストライプリライト）３又はスポット状のリライトフィルム（スポットリライト）４が転写又はラミネートされた構成になっている。このリライトフィルムは、少なくとも情報記録を書き換えできるリライト記録表示層を備えている。リライト記録表示層は公知の方法で形成することが可能であり、抄造可能な機械的強度を持ったスレッド基材上に形成するか、あるいは、用紙表面に転写可能な箔状フィルムとして作成される。
【００２５】
リライト記録表示層としては、情報記録を書き換えできる層であり、可逆性記録材料として、白濁型リライト及びロイコ型リライトが使用される。
【００２６】
白濁型リライトは、ポリ塩化ビニル樹脂、塩化ビニル−酢酸ビニル共重合体、塩化ビニル−酢酸ビニル−ビニルアルコール共重合体、アクリル樹脂等の熱可塑性樹脂中に、ベヘン酸、エイコサン二酸、コハク酸、アジピン酸、蓚酸、ペンタデカンニ酸、マロン酸等の脂肪族ジカルボン酸を分散させ、加熱、冷却によって記録層が白濁化、透明化を繰り返す現象を利用するものである。
【００２７】
ロイコ型リライトは高温加熱下では酸の性質を示し、低温加熱下では塩基の性質を示す両性化合物である顕減色剤とロイコ化合物を、ポリ塩化ビニル樹脂、塩化ビニル−酢酸ビニル共重合体、塩化ビニル−酢酸ビニル−ビニルアルコール共重合体、アクリル樹脂等の熱可塑性樹脂中に分散させたものである。両性化合物である顕減色剤は熱の作用によって酸の性質を示したり塩基の性質を示すため、高温加熱下では酸として作用し放出された水素イオンがロイコ化合物のラクトン環を開環させてロイコ化合物を顕色させる。一方、低温加熱下では塩基として作用し、ロイコ化合物のラクトン環を閉環させてロイコ化合物を減色させる現象を利用するものである。この顕減色剤としては、ヒドロキシ安息香酸、ヒドロキシサリチル酸、没食子酸等が使用できる。また、ロイコ化合物としては、ラクトン、サルトン、スピロフラン等を部分骨格とするクリスタルバイオレットラクトン、３−ジエチルアミノ−７−クロロフルオラン、２−（２−フルオロフェニルアミノ）−６−ジエチルアミノフルオラン等が使用できる。
【００２８】
本発明の偽造防止媒体は、サーマルヘッドを備えた発行機や処理機によって印字され、反復使用されるので、上記したリライト記録表示層には耐久性が要求される。そのため、通常リライト記録表示層にはその表面を擦れや引っかき傷やから保護し、生活物質（酒、水等）に対する耐性を備えた、透明樹脂からなる保護層を設ける。使用される樹脂としては、例えば、アクリル系樹脂、ウレタン系樹脂、塩化ビニル−酢酸ビニル共重合樹脂、ポリエステル系樹脂、メラミン樹脂、ポリイミド樹脂等の熱可塑性樹脂、熱硬化性樹脂、紫外線又は電子線硬化樹脂を単独あるいは混合物が挙げられるが、本発明ではこれらに限定されるものではない。
【００２９】
本発明で用いるスレッドは、少なくとも、スレッド基材１１にリライト記録表示層１５と保護層１６を積層したもので、通常さらにこの積層体の上下には、用紙抄造時にスレッドに植物繊維等に対する結合力を付与するための結着剤層１７を設ける。結着剤層としては、澱粉系、メチルセルロース系、カルボキシル化セルロース系、ヒドロキシエチルセルロース系、ポリビニルアルコール系、ポリビニルピロリドン系、ビニルエチルエーテル−無水マレイン酸共重合体系、ポリアクリル酸系、ポリエチレンオキサイド系等からなり、グラビアコーティング等の各種コーティング法によって１〜１０μｍ程度の膜厚で設けられる。結着剤層は植物繊維との親和性が強く、親水性が高いために、部分的に表出したリライト記録表示層の保護層表面には残らず、印字を阻害することはない。
【００３０】
スレッド基材としては、厚みが安定しており、機械的に強く柔軟性や可とう性を有するポリエチレンテレフタレート樹脂フィルムを用いるのが一般的であるが、これに限るものではなくポリ塩化ビニル、ポリアクリレート等の高分子材料からなるフィルムが必要に応じて用いられる。スレッド基材としては厚さが１５〜５０μｍのものが好ましい。スレッド基材に上記したリライト記録表示層、保護層、結着剤層を公知のコーティング法等で積層した後に、所望する幅にスリットして、抄き込み用のスレッドとする。
【００３１】
用紙基材中へのスレッドの抄き込みは公知の方法を用いることが可能であり、例えば、登録実用新案第３０２８８８６号公報に開示されているようにスレッドが紙層の窓開き部中に露出する等、スレッドが部分的に用紙から露出するようにしてやればよい。
【００３２】
また、本発明で用紙基材表面に、ストライプ状またはスポット状に転写又はラミネートされるリライトフィルムは、基本的には上述したリライト記録表示層ならびに保護層と同様の材料を基材フィルムに積層したものである。ラミネートする場合は、基材フィルム１２にリライト記録表示層１５、透明樹脂保護層１６を設け、その裏面側に接着剤層１８を設けた構成とした後に所望の幅にスリットし用紙基材表面に公知の方法で積層する。転写する場合は転写基材１３にまず保護層１６を剥離層として形成し、その上にリライト記録表示層１５、転写用の接着剤層１８を順に設けた転写シートを作成し用紙基材表面に公知の方法で転写する。なおこの場合は、スレッド抄き込みタイプと異なり、予めオフセット印刷等を施した用紙にリライトフィルムを適用することも可能である。
【００３３】
上述した本発明の偽造防止媒体を商品券等として使用するにあたっては、発行者がサーマルヘッドを備えた発行機にて、リライト記録表示層に金額または数量を印字する。ここでは偽造防止効果を考えて、発行者オリジナルのパターンなりマークを同時に印字することが可能であり、発行者の発行機を通って始めて有価証券となる取り扱いも可能である。通常印字は、直接リライト記録表示層が顕色されることでなされるが、予め金額または数量を印刷で用紙に表示されている上に白濁したあるいは透明のリライトフィルムをラミネート又は転写して、サーマルヘッドの加熱によって下地を浮き上がらせるかあるいは隠蔽することでも同じような印字による表示が可能である。このため、従来のように金額毎に細かく券種が分かれた在庫をもつ必要がなくなり、発行者の管理が発行機での金額出力に集約できる利点が生ずる。
【００３４】
上述した、発行者より発行された本発明の偽造防止媒体を商品券等として、使用者が表示された金額または数量以下の商品や物品・サービスとの交換にこの商品券等を使用した場合、店舗等に設置したサーマルヘッドを備えた処理機にてリライト記録表示層に未使用残高または未使用数量を印字して表示する。このことで、残った価値分の再使用が可能とすることで、従来のつり銭が出ない問題が解決可能になる。
【００３５】
本発明の偽造防止媒体が商品券等として使用され、使用後に回収した際、発行者はサーマルヘッドを備えた発行機にてリライト記録表示層の金額または数量表示を消去し、再度リライト記録表示層に金額または数量を印字して再発行することが可能であり、有価証券として廃棄が困難なゴミの量を減らすことができる。
【図面の簡単な説明】
【００３６】
【図１】本発明の偽造防止媒体の一実施形態の発行前の状態を説明する模式図。
【図２】本発明の偽造防止媒体の一実施形態の発行後の状態を説明する模式図。
【図３】本発明の偽造防止媒体の一実施形態の再使用時の状態を説明する模式図。
【図４】従来の商品券の例を説明する模式図。
【図５】本発明の偽造防止媒体を構成する書き換え可能な記録表示層（リライト記録表示層）を備えたリライトフィルムの断面説明図。
【符号の説明】
【００３７】
１・・・用紙基材      ２・・・スレッドリライト
３・・・ストライプリライト      ４・・・スポットリライト
５・・・発行時表示      ６・・・未使用額（数量）表示
７・・・スレッドホログラム      ８・・・転写ホログラム
１０・・・リライトフィルム
１１・・・スレッド基材      １２・・・基材フィルム      １３・・・転写基材
１５・・・リライト記録表示層      １６・・・保護層      １７・・・結着剤層
１８・・・接着層
【図１】
0005083538.tif 000002
【図２】
0005083538.tif 000003
【図３】
0005083538.tif 000004
【図４】
0005083538.tif 000005
【図５】
0005083538.tif 000006